(57)【要約】      （修正有）【課題】節電器本体内部に絶縁油を用いず冷却を行える乾式節電器を提供する。【解決手段】複数の本体２０が設置される省エネルギーユニットが設けられ、本体２０の中央にはケイ素鋼板層２１が設けられ、ケイ素鋼板層２１には絶縁層２２が設置され、絶縁層２２の外周には複数のリアクタンス素子とリアクタンスフィルター転換器とを連結させるコイルが巻き付けられる。コイルはリアクタンス素子の動作電圧及びフィルター転換器により調整される出力係数に合わせてリアクタンス素子の線材の直径を大きくし、対応する体積のある本体内部に装設させ、リアクタンス素子の低発熱構造及び外気との接触面積を高める事により冷却し、本体内部に絶縁油を使用する必要が無くなる。【選択図】図３
0003187974.tif 000002
【実用新案登録請求の範囲】
【請求項１】
複数の本体を設置させると共に前記本体の中央にはケイ素鋼板層が設けられる省エネルギーユニットを備え、上下対応のケイ素鋼部により前記ケイ素鋼板層の上端と下端とが連結され、前記ケイ素鋼板層と本体との間には絶縁層が設置され、前記絶縁層の外周には動作電圧に対応させる複数のリアクタンス素子とリアクタンスフィルター転換器とを連結させるコイルが巻き付けられ、前記コイルは前記節電器の前記省エネルギーユニットに組み合わされて前記動作電圧に応じ前記リアクタンス素子を大型化させ、使用されるコイルの線材の直径を前記本体内部に装設させる事を特徴とする乾式節電器。
【請求項２】
前記リアクタンス素子に使用されるコイルの線材の直径は５０%から６０%まで増加する事を特徴とする、請求項１に記載の乾式節電器。
【請求項３】
前記本体には前記リアクタンス素子及びリアクタンスフィルター転換器の接続部材に接続される外付け部材が設けられる事を特徴とする、請求項１に記載の乾式節電器 。
【請求項４】
前記リアクタンス素子及びリアクタンスフィルター転換器の接続部材はリアクタンス素子の入出力スリーブ及びリアクタンスフィルター転換器のフィルター転換装置を含む事を特徴とする、請求項３に記載の乾式節電器。
【請求項５】
前記入出力スリーブは間隔を空けて設置され、前記入出力スリーブとスリーブとの間には前記フィルター転換装置が設置される事を特徴とする、請求項４に記載の乾式節電器。
【請求項６】
前記外付け部材は前記本体の一側方に設けられるフランジ部であり、前記フランジ部の表面にはリアクタンス素子の複数の入出力スリーブが間隔を空けて設置させ、前記入出力スリーブとスリーブとの間には複数のリアクタンスフィルター転換器となるフィルター転換装置が設置される事を特徴とする、請求項３に記載の乾式節電器。
【請求項７】
前記リアクタンス素子の入出力スリーブとリアクタンスフィルター転換装置との間は電気的に接続されると共に前記各入出力スリーブ及びフィルター転換装置を前記コイルにそれぞれ電気的に接続させ、節電器に必要なリアクタンス素子及びリアクタンスフィルター転換器とする事を特徴とする、請求項６に記載の乾式節電器。
【考案の詳細な説明】
【技術分野】
【０００１】
本考案は、乾式節電器に関し、より詳しくは、節電器本体内部に絶縁油を用いず冷却を行える乾式節電器に関する。
【背景技術】
【０００２】
節電器は主に電力の転換過程に於いて使用される電力を高品質化し、電力を十分に利用し余った電力を排除させる。節電器は余った電力を排除する過程では、リアクタンスの作用により吸収し無効化し、接点の過電圧を制限し、フィルターを通して電流の波形を改善させ、電力の伝送過程でのノイズ波や調波を排除し、不必要な電磁誘導を消去し、負荷に清潔で高品質な電力を使用させ節電及び設備の耐用年数延長の効果を達成させる。
【先行技術文献】
【特許文献】
【０００３】
【特許文献１】台湾実用新案公開第１０１２１２３４０号公報
【考案の概要】
【考案が解決しようとする課題】
【０００４】
しかしながら、前述した従来の技術では、節電器をリアクタンスフィルターの回路構造に使用する場合、異なる干渉がある環境の下で節電部材の多段階のスイッチ調整が必要であり、異なる出力係数を制御させねばならない。しかし運用及びリアクタンス素子が原因で電子回路構造がすぐに発熱するため、冷却する必要があった。
【０００５】
特許文献１に記載される「自冷式節能器」は、図１及び図２に示すように、前記節電器本体１０の外部には異なる高さの複数のダクト１１が設けられ、２つのダクト１１の間には複数の放熱片が間隔を空け重畳されて放熱装置１２として設置される。本体１０内部には充満状態に近い絶縁油１３（electrical insulating oil、図２の参照）が入れられ、絶縁油１３には省エネルギーユニット１４が設置され、本体１０の頂部に設けられる入力スリーブ１５及び出力スリーブ１６はそれぞれ導線により前記省エネルギーユニット１４に電気的に接続される。また、省エネルギーユニット１４内には電気的に接続される複数のフィルター転換器にそれぞれ対応する複数のリアクタンス素子を有し、フィルター転換器は切換スイッチに電気的に接続される。前記絶縁油１３は複数のダクト１１内部に充填されて放熱装置１２と組み合わされて冷却する以外、本体１０の操作領域の切替えユニット１７の他に前記絶縁油１３に相関する排油弁１８や油面計１９等の部材も設置させる必要がある。「自冷式節能器」は前述の構造により放熱及び節電回路の動作効率も保持させる。
【０００６】
しかしながら、節電器中に使用される絶縁油１３は油面計１９を用いて油量及び動作を監視せねばならないほか、節電器内部に設けられる絶縁油１３は、長期間空気中の酸素及び水分を吸収すると油垢が発生し、絶縁油１３は油垢と湿気により油中の含水量が高まり、節電器の性能が徐々に劣化していった。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、乾式節電器を提供することを主目的とする。つまり、節電器本体内部に絶縁油を使用する必要がなくなる。
【０００９】
本考案の別の目的は節電器内部の絶縁油による劣化を防ぐ乾式節電器を提供する。
【課題を解決するための手段】
【００１０】
上述した課題を解決し、目的を達成するために、本考案に係る乾式節電器は、複数の本体が設置される省エネルギーユニットが設けられ、前記本体の中央にはケイ素鋼板層が設けられ、上下対応のケイ素鋼部により前記ケイ素鋼板層の上端と下端とが連結され、前記ケイ素鋼板層と本体との間には絶縁層が設置され、前記絶縁層の外周には動作電圧に対応させる複数のリアクタンス素子及びリアクタンスフィルター転換器を連結させるコイルが巻き付けられる。前記コイルは前記リアクタンス素子に組み合わされて動作電圧に応じて線材の直径を５０%から６０%の間で大型化させ、動作温度を下げて相対的に大きくなる前記本体内部に装設させ、外気との接触面積も大きくし冷却を行わせ、内部に絶縁油を使用する必要が無くなる。
【００１１】
この好ましい実施形態では、前記本体には一体式ないしは分離式の外付け部材が前記リアクタンス素子及びリアクタンスフィルター転換器の接続部材に接続される。
【００１２】
この好ましい実施形態では、前記リアクタンス素子及びリアクタンスフィルター転換器の接続部材はリアクタンス素子の入出力スリーブ及びリアクタンスフィルター転換器のフィルター転換装置を備える。
【００１３】
この好ましい実施形態では、前記入出力スリーブは間隔を空けて設置され、前記入出力スリーブとスリーブとの間には前記フィルター転換装置が設置される。
【００１４】
この好ましい実施形態では、前記外付け部材は前記本体の一側方に設けられるフランジ部であり、前記フランジ部の表面には間隔を空けて複数のリアクタンス素子の入出力スリーブが設置され、前記入出力スリーブとスリーブとの間にはリアクタンスフィルター転換器となる複数のフィルター転換装置が設置される。
【００１５】
この好ましい実施形態では、前記リアクタンス素子の入出力スリーブとリアクタンスフィルター転換装置との間は電気的に接続され、前記各入出力スリーブ及びフィルター転換装置は前記コイルにそれぞれ電気的に接続されて節電器に必要なリアクタンス素子及びリアクタンスフィルター転換器となる。
【考案の効果】
【００１６】
本考案によれば、内部に絶縁油を用いずに冷却が行える。
【図面の簡単な説明】
【００１７】
【図１】従来の乾式節電器を説明する傾斜構造図である。
【図２】図１を説明する断面図である。
【図３】本考案の好ましい実施形態による乾式節電器を説明する傾斜構造図である。
【図４】図３に示すＡ−Ａ方向を説明する断面図である。
【図５】図３を組合わせる関連の結合機構を説明する概略図である。
【図６】図５を説明する正面図である。
【図７】図５を説明する側面図である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
以下、実施形態１を図１〜７に基づいて説明する。
図３及び図４に示すように、この好ましい実施形態では、省エネルギーユニットには複数の特定の大きさの体積を有する本体２０が設けられる。本実施形態では、前記本体２０は筒状であり、外気との接触面積を広くするが、筒状であるのは例を挙げ説明し易くするためであり、これに制限するのもではない。
【００２０】
前記本体２０の中央には絶縁層２２が設置されるケイ素鋼板層２１が設けられ、前記絶縁層２２の外周にはコイル２３が巻き付けられる。前記コイル２３は前述のリアクタンス素子及びリアクタンスフィルター転換器にそれぞれ通電させるコイルとして用いられる。本考案は主にリアクタンス素子のコイル部分の断面の径を大きくして電気抵抗及び発熱量を低下させる。リアクタンス素子のコイル断面の径は、一般的な節電器では直径３．５mmの線材のリアクタンス素子のコイルが用いられるが、本考案では直径５．２５mmの線材を用いて約５０%から６０%大きくなる。
【００２１】
前記リアクタンス素子のコイル２３の径が大きくなり、前記コイル２３の本体２０を収納する体積も相対的に増加する事で外気との接触面積も大きくなり、放熱冷却機能を与える。
【００２２】
この好ましい実施形態では、前記本体２０には外付け部材供が設けられると共にリアクタンス素子及びリアクタンスフィルター転換器の接続部材に接続される。前記外付け部材は分離式または本体２０と一体式になる。本実施形態では、前記外付け部材は前記本体２０の一側方に設けられるフランジ部２４であり、前記フランジ部２４の表面には間隔を空けて複数のリアクタンス素子の入出力スリーブ２５が設置され、前記入出力スリーブ２５とスリーブ２５との間には複数のリアクタンスフィルター転換器となるフィルター転換装置２６が設けられる。前記リアクタンス素子の入出力スリーブ２５とリアクタンスフィルター転換装置２６との間は電気的に接続され、各入出力スリーブ２５及びフィルター転換装置２６は前記コイル２３にそれぞれ電気的に接続されて節電器に必要なリアクタンス素子及びリアクタンスフィルター転換器となる。入力電流に省エネルギーユニットを経由させて無用な電量の浪費を除去させ、フィルターを通した後に電力を出力させる。
【００２３】
複数の本体２０の中央に設けられる前記ケイ素鋼板層２１は、上下対応のケイ素鋼部２８に横方向に連結される。実施形態によると、中央のケイ素鋼板層２１の局部の長さは上下対応のケイ素鋼部２８にそれぞれ一体で圧印成形され、上端及び下端にそれぞれ重畳されて挿設される。
【００２４】
図５ないし図７を参照すると、本考案は上述の省エネルギーユニットの上端と下端とは四脚台２７にそれぞれ組み合わされ、吊手２９１及びベース２９が設置され、フォークリフト或いはクレーンにより吊手２９１及びベース２９の全ての設備を必要な場所と位置に装設させる。
【００２５】
本考案はコイルの大型化及び使用される線材の径を大きくする事で節電器本体の体積も増加させ、節電器全体の運用過程での外気との接触面積を大幅に増加させ、リアクタンス素子の動作時の温度も下げ、冷却機能を実現させる。節電器本体内部に絶縁油を加えない事で正常な動作油量かを常時監視させる必要もなくなり、節電器内部が絶縁油のために劣化するのも避けられる。また、絶縁油に相関する排油弁や油面計等の部材も設置させる必要がない。
【００２６】
以上、本考案の実施形態について図面を参照して詳述したが、具体的な構成はこの実施形態に限られるものではなく、本考案の要旨を逸脱しない範囲の設計変更等も含まれる。
【符号の説明】
【００２７】
１０      本体        
１１      ダクト        
１２      放熱装置        
１３      絶縁油        
１４      省エネルギーユニット        
１５      入力スリーブ        
１６      出力スリーブ        
１７      切替えユニット        
１８      排油弁        
１９      油面計        
２０      本体        
２１      ケイ素鋼板層        
２２      絶縁層        
２３      コイル        
２４      フランジ部        
２５      入出力スリーブ        
２６      フィルター転換装置        
２７      四脚台        
２８      上下対応のケイ素鋼部        
２９      ベース        
２９１    吊手   
【図１】
0003187974.tif 000003
【図２】
0003187974.tif 000004
【図３】
0003187974.tif 000005
【図４】
0003187974.tif 000006
【図５】
0003187974.tif 000007
【図６】
0003187974.tif 000008
【図７】
0003187974.tif 000009
【手続補正書】
【提出日】平成25年10月17日(2013.10.17)
【手続補正１】
【補正対象書類名】実用新案登録請求の範囲
【補正対象項目名】全文
【補正方法】変更
【補正の内容】
【実用新案登録請求の範囲】
【請求項１】
複数の本体を設置させると共に前記本体の中央にはケイ素鋼板層が設けられる省エネルギーユニットを備え、上下対応のケイ素鋼部により前記ケイ素鋼板層の上端と下端とが連結され、前記ケイ素鋼板層と本体との間には絶縁層が設置され、前記絶縁層の外周には動作電圧に対応させる複数のリアクタンス素子とリアクタンスフィルター転換器とを連結させるコイルが巻き付けられ、前記コイルは節電器の前記省エネルギーユニットに組み合わされて前記動作電圧に応じ前記リアクタンス素子を大型化させ、使用されるコイルの線材の直径を前記本体内部に装設させる事を特徴とする乾式節電器。
【請求項２】
前記リアクタンス素子に使用されるコイルの線材の直径は、一般的な節電器で使用される直径３．５ｍｍの線材に対して、５０%から６０%長い事を特徴とする、請求項１に記載の乾式節電器。
【請求項３】
前記本体には前記リアクタンス素子及びリアクタンスフィルター転換器の接続部材に接続される外付け部材が設けられる事を特徴とする、請求項１に記載の乾式節電器 。
【請求項４】
前記リアクタンス素子及びリアクタンスフィルター転換器の接続部材はリアクタンス素子の入出力スリーブ及びリアクタンスフィルター転換器のフィルター転換装置を含む事を特徴とする、請求項３に記載の乾式節電器。
【請求項５】
前記入出力スリーブは間隔を空けて設置され、前記入出力スリーブと入出力スリーブとの間には前記フィルター転換装置が設置される事を特徴とする、請求項４に記載の乾式節電器。
【請求項６】
前記外付け部材は前記本体の一側方に設けられるフランジ部であり、前記フランジ部の表面にはリアクタンス素子の複数の入出力スリーブが間隔を空けて設置させ、前記入出力スリーブとスリーブとの間には複数のリアクタンスフィルター転換器となるフィルター転換装置が設置される事を特徴とする、請求項３に記載の乾式節電器。
【請求項７】
前記リアクタンス素子の入出力スリーブとリアクタンスフィルター転換装置との間は電気的に接続されると共に前記各入出力スリーブ及びフィルター転換装置を前記コイルにそれぞれ電気的に接続させ、節電器に必要なリアクタンス素子及びリアクタンスフィルター転換器とする事を特徴とする、請求項６に記載の乾式節電器。
【手続補正２】
【補正対象書類名】明細書
【補正対象項目名】００２０
【補正方法】変更
【補正の内容】
【００２０】
前記本体２０の中央には絶縁層２２が設置されるケイ素鋼板層２１が設けられ、前記絶縁層２２の外周にはコイル２３が巻き付けられる。前記コイル２３は前述のリアクタンス素子及びリアクタンスフィルター転換器にそれぞれ通電させるコイルとして用いられる。本考案は主にリアクタンス素子のコイル部分の断面の径を大きくして電気抵抗及び発熱量を低下させる。リアクタンス素子のコイル断面の径は、一般的な節電器では直径３．５mmの線材のリアクタンス素子のコイルが用いられるが、本考案では直径５．２５mmの線材を用いて、一般的な節電器に対して約５０%から６０%長くなる。
【手続補正３】
【補正対象書類名】明細書
【補正対象項目名】００２２
【補正方法】変更
【補正の内容】
【００２２】
この好ましい実施形態では、前記本体２０には外付け部材供が設けられると共にリアクタンス素子及びリアクタンスフィルター転換器の接続部材に接続される。前記外付け部材は分離式または本体２０と一体式になる。本実施形態では、前記外付け部材は前記本体２０の一側方に設けられるフランジ部２４であり、前記フランジ部２４の表面には間隔を空けて複数のリアクタンス素子の入出力スリーブ２５が設置され、前記入出力スリーブ２５と入出力スリーブ２５との間には複数のリアクタンスフィルター転換器となるフィルター転換装置２６が設けられる。前記リアクタンス素子の入出力スリーブ２５とリアクタンスフィルター転換装置２６との間は電気的に接続され、各入出力スリーブ２５及びフィルター転換装置２６は前記コイル２３にそれぞれ電気的に接続されて節電器に必要なリアクタンス素子及びリアクタンスフィルター転換器となる。入力電流に省エネルギーユニットを経由させて無用な電量の浪費を除去させ、フィルターを通した後に電力を出力させる。